(57)【要約】【課題】基板の鋭角部を有効に活用すること。【解決手段】記録ヘッド基板は、複数の記録素子と、第１の辺に沿って配置され、複数の記録素子に電気的に接続される複数のパッドと、を備え、第１の辺と第２の辺とで鋭角が構成された基板面と、複数の記録素子と電気的に接続されていないＴＥＧを含むＴＥＧ領域であって、少なくとも一部が、第２の辺と、複数のパッドのうちの鋭角の頂点に最も近いパッドと、に挟まれるように配置されたＴＥＧ領域と、を有する。【選択図】図１
2018187922.tif 000002
【特許請求の範囲】
【請求項１】
複数の記録素子と、第１の辺に沿って配置され、前記複数の記録素子に電気的に接続される複数のパッドと、を備え、前記第１の辺と第２の辺とで鋭角が構成された基板面と、
前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、
を有することを特徴とする記録ヘッド基板。
【請求項２】
前記ＴＥＧ領域は、前記複数の記録素子が配置された領域と重複しない、請求項１に記載の記録ヘッド基板。
【請求項３】
前記基板面には、複数の前記鋭角が備わっており、
前記ＴＥＧ領域は、前記複数の鋭角の頂点のうちの少なくとも１つに対応する位置に備えられている、請求項１または２に記載の記録ヘッド基板。
【請求項４】
前記基板面の形状は、平行四辺形である、請求項１から３のいずれか一項に記載の記録ヘッド基板。
【請求項５】
前記基板面の形状は、台形である、請求項１から３のいずれか一項に記載の記録ヘッド基板。
【請求項６】
前記ＴＥＧ領域には、トランジスタ、配線、抵抗素子、記録素子、またはプラグのうちの少なくとも１つの前記ＴＥＧと、前記ＴＥＧに接続する第二パッドとが配置されている、請求項１から５のいずれか一項に記載の記録ヘッド基板。
【請求項７】
前記ＴＥＧは、ウエハ製造工程を管理するプロセスモニタに用いられる、請求項１から６のいずれか一項に記載の記録ヘッド基板。
【請求項８】
前記ＴＥＧは、前記記録素子のデバイス特性を取得するために用いられる請求項１から６のいずれか一項に記載の記録ヘッド基板。
【請求項９】
少なくとも２つ以上の記録素子は、前記パッドから引き出しされている配線パターンと共通に接続されている、請求項１から８のいずれか一項に記載の記録ヘッド基板。
【請求項１０】
前記配線パターンは、前記ＴＥＧ領域と重複しない、請求項９に記載の記録ヘッド基板。
【請求項１１】
前記パッド、前記配線パターン、および前記記録素子を含む領域は、耐湿リングによって前記ＴＥＧ領域と隔てられている、請求項９または１０に記載の記録ヘッド基板。
【請求項１２】
前記耐湿リングは、前記パッド、前記配線パターン、および前記記録素子を含む領域を囲っており、前記ＴＥＧ領域は、前記耐湿リングの囲いの外側に配置されている、請求項１１に記載の記録ヘッド基板。
【請求項１３】
前記ＴＥＧ領域をさらに囲う第二の耐湿リングが備えられている、請求項１１または１２に記載の記録ヘッド基板。
【請求項１４】
前記基板面は、前記第２の辺に対向する第３の辺と前記第１の辺とで鈍角が構成されており、
前記複数のパッドのうちの前記鋭角の頂点に最も近いパッドと前記第２の辺との距離は、前記複数のパッドのうちの前記鈍角の頂点に最も近いパッドと前記第３の辺との距離よりも長い、請求項１に記載の記録ヘッド基板。
【請求項１５】
複数の記録素子と、第１の辺に沿って配置され、前記複数の記録素子に電気的に接続される複数のパッドと、を備え、前記第１の辺と第２の辺とで鋭角が構成された基板面と、前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、を有する記録ヘッド基板が複数配列された記録ヘッドを備える、インクジェット記録装置。
【請求項１６】
複数の記録素子と、第１の辺に沿って配置され、前記複数の記録素子に電気的に接続される複数のパッドと、を備え、前記第１の辺と第２の辺とで鋭角が構成された基板面と、前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、を有する、記録ヘッド基板の製造方法であって、
ウエハ基板内部に変質層のパターンを形成する工程と、
前記形成されたパターンに沿って割断することで、前記鋭角を備える前記記録ヘッド基板を切り出す工程と
を含むことを特徴とする、記録ヘッド基板の製造方法。
【請求項１７】
複数の記録素子と、第１の辺に沿って配置され、前記複数の記録素子に電気的に接続される複数のパッドと、を備え、前記第１の辺と第２の辺とで鋭角が構成された基板面と、前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、を有する、半導体基板。
【請求項１８】
複数の記録素子と、第１の辺に沿って配置され、前記複数の記録素子に電気的に接続される複数のパッドと、を備え、前記第１の辺と第２の辺とで鋭角が構成された基板面と、前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、を有する、半導体基板の製造方法であって、
ウエハ基板内部に変質層のパターンを形成する工程と、
前記形成されたパターンに沿って割断することで、前記鋭角を備える前記半導体基板を切り出す工程と
を含むことを特徴とする、半導体基板の製造方法。
【発明の詳細な説明】
【技術分野】
【０００１】
本発明は、記録ヘッド基板、記録ヘッド基板の製造方法、半導体基板、半導体基板の製造方法、およびインクジェット記録装置に関する。
【背景技術】
【０００２】
インクジェット記録装置には、記録媒体の幅方向に対応する長さを有するいわゆるフルライン記録ヘッドを備えている装置がある。フルライン記録ヘッドの中には、複数の記録ヘッド基板を用いて一本の長尺の記録ヘッドを形成するものがある。特許文献１には、半導体チップで構成され、平行四辺形または台形の形状を有する記録ヘッド基板を一列に並べてフルライン記録ヘッドを形成する技術が開示されている。
【先行技術文献】
【特許文献】
【０００３】
【特許文献１】特開２０１６−１２４２３４号公報
【発明の概要】
【発明が解決しようとする課題】
【０００４】
特許文献１に開示されているような平行四辺形または台形の形状を有する記録ヘッド基板では、鋭角部が形成される。鋭角部は、機械的な強度が弱い。インクジェット記録装置の記録ヘッド基板は、一般的なＩＣとは異なり、搬送紙が基板と接触することがある。また、付着したインクをワイピングする際に、基板にワイパーの圧力が加わることがある。このため、強度の弱い鋭角部では、電気信頼性が悪化してしまう恐れがある。
【０００５】
また、鋭角部は、基板内部と比較して応力分布や熱分布が悪い。このため、鋭角部は、トランジスタの特性ばらつきに敏感な高速駆動回路やアナログ回路等の配置に適していない。さらに、鋭角という形状自体も回路ブロックには適しておらず、鋭角の形状に合わせて回路ブロックをレイアウトすることは難しい。こうした回路レイアウト制約によって、基板面積が増大することもある。
【０００６】
本発明は、上記課題に鑑み、鋭角部を有効に活用することができる記録ヘッド基板、記録ヘッド基板の製造方法、半導体基板、半導体基板の製造方法、およびインクジェット記録装置を提供することを目的とする。
【課題を解決するための手段】
【０００７】
本発明の一態様に係る記録ヘッド基板は、複数の記録素子と、第１の辺に沿って配置され、前記複数の記録素子に電気的に接続される複数のパッドと、を備え、前記第１の辺と第２の辺とで鋭角が構成された基板面と、前記複数の記録素子と電気的に接続されていないＴＥＧを含むＴＥＧ領域であって、少なくとも一部が、前記第２の辺と、前記複数のパッドのうちの前記鋭角の頂点に最も近いパッドと、に挟まれるように配置された前記ＴＥＧ領域と、を有することを特徴とする。
【発明の効果】
【０００８】
本発明によれば、基板の鋭角部を有効に活用することができる。
【図面の簡単な説明】
【０００９】
【図１】記録ヘッド基板レイアウトを示す図である。
【図２】記録ヘッド基板の詳細を示す図である。
【図３】記録ヘッド基板の詳細を示す図である。
【図４】ヒータの接続回路を示す図である。
【図５】記録ヘッド基板レイアウトを示す図である。
【図６】耐湿リングのレイアウトを示す図である。
【図７】耐湿リング断面図である。
【図８】耐湿リングのレイアウトを示す図である。
【図９】記録装置および記録ヘッドの構成例を示す図である。
【発明を実施するための形態】
【００１０】
以下、本発明の実施形態について、図面を参照して説明する。なお、以下の実施形態は本発明を限定するものではなく、また、本実施形態で説明されている特徴の組み合わせの全てが本発明の解決手段に必須のものとは限らない。なお、同一の構成については、同じ符号を付して説明する。また、実施形態に記載されている構成要素の相対配置、形状等は、あくまで例示であり、この発明の範囲をそれらのみに限定する趣旨のものではない。
【００１１】
＜＜実施形態１＞＞
図１は、本実施形態における記録ヘッド基板１０１を示す図である。記録ヘッド基板１０１が複数配列されて、長尺の記録ヘッド（図９（ｂ））が構成される。記録ヘッド基板１０１は、平行四辺形の基板形状をしている。記録ヘッド基板１０１は、半導体チップで構成されている。記録ヘッド基板１０１は、ウエハ基板内部にレーザ光を集光して局所的な加工変質層のパターンを形成し、その形成されたパターンに沿って割断することによって、図１に示すような基板形状で切り出される。このように、記録ヘッド基板１０１は、ステルスダイシングによるダイシングによって基板形状が形成されている。図１の記録ヘッド基板１０１では、図１中の右下と左上の２つの角が、鋭角部である。
【００１２】
記録ヘッド基板１０１には、ヒータ１０３がアレイ状に複数列並んで配置されている。ヒータ１０３は、記録用のインクを吐出するための記録素子である。即ち、ヒータ１０３は、気泡を発生させて液体を吐出するための発熱素子である。なお、ピエゾ方式およびその他の各種液体吐出方式を採用した場合には、各方式に対応した記録素子を用いればよい。ヒータ１０３の各列は、列間が均等となるように配置されている。
【００１３】
記録ヘッド基板１０１には、記録ヘッド基板１０１の長辺に沿って電極パッド（以下、「ＰＡＤ」という）１０４が並んで配置されている。ＰＡＤ１０４は、ヒータ１０３を駆動するために用いられる電極パッドである。即ち、ＰＡＤ１０４は、記録ヘッド基板１０１の本来的な用途に用いられる特定の素子（ヒータ１０３）を駆動するための電極パッドである。本来的な用途とは、記録ヘッド基板の場合には、記録用途となる。ＰＡＤ１０４は、記録ヘッド基板１０１の内部回路に接続されている。すなわち、ＰＡＤ１０４はヒータ１０３に電気的に接続されている電極パッドである。
【００１４】
本実施形態の記録ヘッド基板１０１においては、ＴＥＧ領域１０５が、記録ヘッド基板１０１の鋭角と、鋭角に最も近いＰＡＤ１０４との間に設けられている。ＴＥＧ領域とは、ＴＥＧ（Test Element Group）と呼ばれる評価用の素子や回路が含まれている領域のことである。例えば、トランジスタ、配線、抵抗素子、記録素子、またはプラグのうちの少なくとも１つのＴＥＧが含まれる。これらは、記録ヘッド基板１０１の本来的な用途（本実施形態では記録用途）には用いられないものである。すなわち、ＴＥＧはヒータ１０３に電気的に接続されていない素子である。例えば、ＴＥＧは、ウエハ製造工程を管理するプロセスモニタ用に用いられる。あるいは、ＴＥＧは、記録素子のデバイス特性を取得するために用いられてもよい。
【００１５】
記録ヘッド基板１０１の長辺を、記録ヘッド基板１０１の鋭角を構成する２辺のうちの第１の辺と規定すると、ＰＡＤ１０４は、第１の辺に沿って並んで配置されている。そして、ＴＥＧ領域１０５は、記録ヘッド基板１０１の鋭角部を構成する２辺のうちの第２の辺と、配列されている複数のＰＡＤの中から第２の辺に最も近いＰＡＤ１０４との間に設けられている。すなわち、ＴＥＧ領域１０５は、その少なくとも一部が、第２の辺と、鋭角部の頂点に最も近いＰＡＤ１０４と、に挟まれるように設けられている。また、ＴＥＧ領域１０５は、ヒータ１０３が設けられた領域と重複しない位置に設けられている。
【００１６】
本実施形態の記録ヘッド基板１０１において、図１中の上側の回路と下側の回路とは、電気的に分断されている。具体的には、記録ヘッド基板１０１の２辺の長辺と平行して記録ヘッド基板１０１の中心部分を通るチップ分離境界線１０２で、記録ヘッド基板１０１の回路は分断されている。ヒータ１０３の配置や回路レイアウト、ＰＡＤ１０４の配置は、上側と下側とで点対称配置となっている。本実施形態では、ＴＥＧ領域１０５は、図１中の右下部分および左上部分の２箇所に設けられている。ＴＥＧは、各種の評価に用いることができ、ＴＥＧの数が多ければ多いほど、評価の精度も高まる。従って、本実施形態では、記録ヘッド基板１０１の２箇所ある鋭角部のうちの、いずれにもＴＥＧ領域１０５が設けられている。しかしながら、この例に限られず、記録ヘッド基板１０１に含まれる鋭角部のうちの少なくとも１つの鋭角部に対応する位置にＴＥＧ領域１０５が設けられていればよい。
【００１７】
図２は、図１に示す記録ヘッド基板１０１の詳細を示す図である。本実施形態の記録ヘッド基板１０１は、４層配線プロセスで形成されているものとする。図２は、図１の記録ヘッド基板１０１のヒータ層および配線層（４層目）のパターンレイアウトを示す図である。ここで、配線層は、記録ヘッド基板１０１のヒータ１０３が配列されている側を上層とする。ヒータ１０３は、インクを発泡・吐出する発熱素子である。独立供給口２０２は、その発砲・吐出されるインクを供給する供給口である。独立供給口２０２は、記録ヘッド基板１０１内に複数形成されている。配線２０３は、ベタ配線のパターンになっている。また、配線２０３のパターンは、独立供給口２０２の間を梁状に通るパターンを含んでいる。また、配線２０３のパターンは、ＴＥＧ領域１０５とは重複しない。
【００１８】
図３は、記録ヘッド基板１０１の配線層（３層目）およびプラグのパターンレイアウトを示す図である。プラグ３０１は、図２の配線２０３（４層目）と接続されるプラグである。プラグ３０１の他に下層（２層目）の配線と接続されるプラグも存在するが、ここでは省略する。配線３０３は、ベタ配線のパターンとなっている。配線３０３のパターンは、ＴＥＧ領域１０５とは重複しない。
【００１９】
図４は、ヒータ１０３の接続回路図を示す図である。図２、図３、図４を用いてヒータ１０３の接続構成を説明する。図４に示すように、各ヒータ１０３および各ドライバトランジスタ４０３は、共通のヒータ電源４０１およびヒータＧＮＤ４０２と接続されている。ヒータＧＮＤ４０２は、図２に示す配線２０３のようなパターンとなっている。この配線２０３のパターンは、ヒータ列間をまたいだベタ配線となっており、複数列のドライバトランジスタ４０３と接続されている。ヒータ電源４０１は、図３に示す配線３０３のようなパターンとなっている。この配線３０３のパターンは、配線２０３と同様にベタ配線パターンになっており、プラグ３０１を介して各列の複数のヒータ１０３と接続される。このように図４のヒータ電源４０１とヒータＧＮＤ４０２とは、図２および図３に示すように重なりあった上下２層のベタ電源配線パターンで形成されている。
【００２０】
図３のパターン３ｂは、ヒータ１０３とドライバトランジスタ４０３とを接続する配線パターンである。図３において一部ベタパターンがくりぬかれているパターン３ｃは、ドライバトランジスタ４０３とヒータＧＮＤ４０２とを接続するためのパターンである。このように、図２および３に示したような配線パターンによって、図４のヒータ電源４０１とヒータＧＮＤ４０２とは、ヒータ１０３およびドライバトランジスタ４０３に接続されている。
【００２１】
図１に戻り、ヒータ１０３の電圧ロスについて説明する。上述したような配線パターンの記録ヘッド基板１０１においては、ＰＡＤ１０４から最も遠いヒータ１０３ａが、寄生配線抵抗による電圧ロスが最も大きくなる。つまり、ヒータ１０３とＰＡＤ１０４との距離が大きいほど電圧ロスによる影響が大きくなる。電圧ロスが拡大するとヒートパルスを拡大する必要があり、同じパルスが印加される他のヒータで過剰なエネルギーが印加され、ヒータ１０３の寿命を短くしてしまう恐れがある。ここで、本実施形態では、記録ヘッド基板１０１の鋭角部と、最も鋭角部に近いＰＡＤ１０４との間にＴＥＧ領域を設けている。このような位置にＴＥＧ領域１０５を設けたとしても、ヒータ１０３ａの電圧ロスに影響を与えることはない。つまり、ヒータ１０３との距離が離れた位置に存在するＴＥＧ  ＰＡＤ２０４（第二パッド）（図２、図３参照）は、ヒータ１０３に用いられるのではなく、ＴＥＧ２０５（図２、図３参照）に用いられるものである。従って、記録ヘッド基板１０１の鋭角部と、最も鋭角部に近いＰＡＤ１０４との間にＴＥＧ領域を設けることで、鋭角部付近の領域を有効に活用することができる。つまり、図１に示すような平行四辺形の記録ヘッド基板１０１では、鋭角部付近の領域にＴＥＧ２０５を配置しても、記録ヘッド基板１０１の電気的特性を損なうことはない。
【００２２】
また、本実施形態の記録ヘッド基板１０１では、ヒータ１０３ａにおける電圧ロスを緩和するために、ＰＡＤ１０４が、鈍角側にシフトして配置されている。そのため、鋭角側端部には広く領域が空く。すなわち、複数のＰＡＤ１０４のうちの鋭角部の頂点に最も近いＰＡＤ１０４と第２の辺との距離が、複数のＰＡＤ１０４のうちの鈍角部の頂点に最も近いＰＡＤ１０４と第２の辺に対向する第３の辺との距離よりも長い。鋭角部は基板強度が弱く、応力分布や熱分布の観点や、レイアウト効率の観点からも回路配置には適していない。このため、鋭角部端部に領域が空いても特に支障はない。一方で、ＴＥＧであれば、基板に切り出された状態では基本的には使用されない。従って、鋭角部付近の領域をＴＥＧ領域として使用することで、記録ヘッド基板１０１の領域を有効に活用することができる。同様に、第１の辺に対向する辺に沿って配列された複数のＰＡＤ１０４についても鈍角部側にシフトして配置されていてもよい。
【００２３】
このように、平行四辺形の記録ヘッド基板１０１において、鋭角部付近の領域にＴＥＧ領域１０５を設けることにより、記録ヘッド基板１０１の電気特性および電気信頼性を悪化させることなくＴＥＧを配置することが可能になる。さらに、本実施形態の記録ヘッド基板１０１では、チップ毎にＴＥＧが配置することもできる。従って、ウエハ面内の詳細な工程管理をすることができ、歩留まりの向上が可能となる。
【００２４】
なお、前述したように、鋭角形状に沿って回路ブロックを配置することはレイアウトの制約が大きく、困難である。しかしながら、ＴＥＧであれば素子単位であり、単位ブロックが小さいので、鋭角部であっても有効に配置することができる。また、従来のウエハ面の工程管理で用いられるように、ダイシングされるエリアにＴＥＧを配置したり、ＴＥＧ用のチップを設けたりした場合と比較して、ウエハあたりのチップ収量を増やすことができる。従ってコストダウンを実現することができる。
【００２５】
なお、本実施形態では、図２および図３に示すようにマークアクセサリ領域２０１を設けている。マークアクセサリ領域とは、ウエハの加工工程における位置合わせのマーク・アクセサリパターンが形成される領域である。マークアクセサリ領域２０１は、他の領域にあってもよく、領域２０１をＡｌ（aluminium）配線領域に用いても良い。
【００２６】
また、図１の記録ヘッド基板１０１は、ヒータ１０３が配列される基板面の形状が、平行四辺形の例を示したが、これに限られるものではない。上辺と下辺は、平行でなくてもよい。また、左右の斜辺は、平行でなくてもよい。鋭角が形成される形状であればよい。
【００２７】
また、ＴＥＧ領域１０５に配置されるＴＥＧは半導体工程管理に使用するＴＥＧでなくてもよい。例えばヒータの特性やドライバトランジスタの特性をＴＥＧより得てもよい。そして、各々の記録ヘッド基板１０１に適した駆動パルスが与えられるような形態でもよい。つまり、ＴＥＧは、記録素子のデバイス特性を取得するために用いられてもよい。
【００２８】
このように、本実施形態では、平行四辺形のような鋭角を有する記録ヘッド基板１０１において、記録ヘッド基板１０１の鋭角部付近の領域にＴＥＧ領域１０５を設けている。これにより、扱いの難しかった鋭角部付近の領域を有効に使用することができる。また、電気特性を損ねることなく基板面積のシュリンクができ、コストダウンが実現できる。
【００２９】
また、仮に強度の弱い鋭角部が、例えばワイピングの圧力や搬送紙の接触などによりダメージを受けたとしても、通常通りの記録ヘッド駆動を実現できる。このように、本実施形態の記録ヘッド基板１０１は、記録ヘッドや本体の電気系統にダメージを与えず、高い電気信頼性を保つことができる。さらには、記録ヘッド基板１０１毎にＴＥＧが設けられるので、基板毎に半導体工程におけるデバイス特性管理を行うことができ、歩留まりの向上が可能となる。また、記録ヘッド基板毎の特性に合わせた制御を行うことにより、高機能を実現できる。
【００３０】
＜＜実施形態２＞＞
実施形態１では、記録ヘッド基板の形状が、平行四辺形である場合を例に挙げて説明した。本実施形態では、記録ヘッド基板の形状が台形である場合を例に挙げて説明する。
【００３１】
図５は、本実施形態における台形の記録ヘッド基板５０１である。記録ヘッド基板５０１は、最長辺に沿ってＰＡＤ１０４が並んで配置されている。この最長辺は、鋭角を構成する１辺である。記録ヘッド基板５０１の両方の鋭角側にＴＥＧ領域１０５が設けられている。記録ヘッド基板５０１は、図１のようなチップ分離境界線１０２はなく、基板の一辺のみに、ＰＡＤ１０４が配列されている。ＰＡＤ１０４およびヒータ１０３は、左右対称に配置されている。図示しないが、実施形態１の図２および図３と同様のＡｌ配線パターンで、各列のヒータ１０３に電源が供給される。このような基板形状およびヒータ配置の場合、最も電圧ドロップが大きいヒータ１０３は、ヒータ１０３ｂである。ＴＥＧ領域１０５は、ＰＡＤ１０４からヒータ１０３ｂまでのヒータ電流経路において干渉しない位置に配置される。なお、図５では左右対称レイアウトの例を示したが、左右非対称の構成でもよい。また、台形の例を示したが、上底下底は平行でなくてもよい。左右の鋭角の角度は異なっていてもよい。
【００３２】
以上説明したように、基板ヘッド基板の形状が、平行四辺形の形状ではない場合であっても、鋭角部付近にＴＥＧ領域を設けることで実施形態１と同様の効果を得ることができる。
【００３３】
＜＜実施形態３＞＞
実施形態３では、耐湿リングが形成された記録ヘッド基板を説明する。耐湿リングとは、化学機械研磨（ＣＭＰ：Chemical Mechanical Polishing）等の平坦化プロセスを採用している半導体基板において一般的に使用されている部材である。耐湿リングは、チップ切断壁面からの湿度に対してチップ内のデバイスを保護するための壁となる。
【００３４】
図６は、本実施形態における耐湿リング６０２のパターンを示す。記録ヘッド基板６０１は、耐湿リング６０２が形成されていることを除き、実施形態１で説明した記録ヘッド基板１０１と同様の構成であるものとする。図６に示すように、本実施形態の記録ヘッド基板６０１は、ＰＡＤ１０４や配線パターンを含む駆動回路領域とＴＥＧ領域１０５とを、耐湿リング６０２によって隔てる構成を採用している。具体的には、記録ヘッド基板６０１においては、耐湿リング６０２による保護領域からＴＥＧ領域１０５を除外するように、耐湿リング６０２のパターンが形成されている。
【００３５】
図７は、耐湿リング６０２の断面構造の一例を示す図である。Ｓｉ基板７０３上には、酸化膜７０１およびパッシベーション膜７０２が形成されている。図７に示すように、一般的に、プラグ７０６や配線７０５のパターンをスリット状にレイアウトし、Ｓｉ基板７０３の最外周を隙間なく囲うことで耐湿リング６０２が形成される。
【００３６】
耐湿リング６０２による保護領域からＴＥＧ領域１０５を除外することで、仮に鋭角部にダメージが与えられ、割れが生じたとしても、耐湿リング６０２の外側（すなわち、チップ端７０４側）であれば内部回路が電気的なダメージを受けることはない。また、鋭角部は応力が大きいため、ノズル材が剥がれてインクが染みこみ、ＴＥＧ  ＰＡＤ２０４を介して記録ヘッド基板６０１内の酸化膜７０１に湿気が侵入することが懸念される。しかしながら、本実施形態においては耐湿リング６０２により内部回路が保護されている。このため、内部回路がダメージを受けることはない。また、ＴＥＧ領域１０５のＴＥＧ２０５は、主に製造工程に使用するものである。従って、記録ヘッド基板６０１を搭載した記録装置において記録処理が行われる中で、仮にデバイス特性が変わってしまったとしても特段問題が生じることはない。
【００３７】
なお、本実施形態ではＴＥＧ領域１０５を耐湿リング６０２の外に配置する形態を説明した。しかしながらこの形態に限定されるものではない。ヒータ駆動回路領域とＴＥＧ領域１０５との間に耐湿リングによる壁が形成されていればよい。例えば図８に示すように耐湿リングを２重構造にしてＴＥＧ領域１０５を第二の耐湿リング８０２内に設けてもよい。
【００３８】
以上説明したように、上述した実施形態では、記録ヘッド基板が、平行四辺形や台形に代表されるような、鋭角を含む形状の形態を説明した。このような形状の基板をダイシングする場合、ブレードダイシングに比べてダイシング形状自由度が高いステルスダイシングが有利である。ここで、ブレードダイシングではブレードで基板を削り取って基板同士を分離するため、ブレードの幅分のスクライブ領域がウエハ基板から削り取られる。ＴＥＧは一般的にはウエハ製造工程後は不要となるため、ブレードダイシングによってダイシングを行う場合、ＴＥＧをこのスクライブ領域に配置することでウエハ基板の面積を有効利用している。一方、ステルスダイシングでは割断して基板同士を分離するため、ダイシングの幅は０である。したがって、ブレードダイシングのようにスクライブ領域にＴＥＧを配置しても、ステルスダイシング後にＴＥＧは基板の辺の近傍に残ることになる。そのため、このＴＥＧが、基板の辺の近傍に設けられる電極パッドにワイヤボンディング等で電気実装を行う際の妨げとなる恐れがある。本実施形態の構成によれば、回路配置が困難である基板の鋭角部付近にＴＥＧ配置領域を設けることで、ＴＥＧが電気実装時の妨げとなる恐れを抑制し、さらに、基板の領域を有効に活用することができる。
【００３９】
＜記録ヘッドおよび記録装置＞
上述の実施形態の記録素子基板が搭載されるインクジェット記録ヘッドと、このインクジェット記録ヘッドを用いる記録装置の例について説明する。
【００４０】
図９（ａ）は、インクジェット記録ヘッド１２０を用いるインクジェット記録装置１の構成例を説明するための概略斜視図である。本例の記録装置１は、いわゆるフルライン方式であり、記録媒体Ｐの幅方向全域に渡って延在する長尺の記録ヘッド１２０が用いられる。記録媒体Ｐは、搬送ベルトなどを用いる搬送機構１３０によって矢印Ａ方向に連続的に搬送される。記録媒体Ｐを矢印Ａ方向に搬送しつつ、記録ヘッド１２０からインク（液体）を吐出することによって、記録媒体Ｐに画像が記録される。本実施形態の場合は、記録ヘッド１２０として、シアン（Ｃ），マゼンタ（Ｍ），イエロー（Ｙ），ブラック（Ｋ）のインクを吐出する記録ヘッド１２０Ｃ，１２０Ｍ，１２０Ｙ，１２０Ｂｋを用いることにより、カラー画像を記録することができる。
【００４１】
図９（ｂ）は、記録ヘッド１２０の斜視図である。本実施形態の記録ヘッド１２０は、記録媒体Ｐの搬送方向（矢印Ａ方向）と交差（本実施形態の場合は、ほぼ直交）する方向に沿って、複数の記録ヘッド基板１０１が配置されたフルマルチヘッドである。本実施形態の記録ヘッド基板１０１は基板面に鋭角を備えているため、複数の記録ヘッド基板１０１を直線状に配列し、隣接する記録ヘッド基板１０１同士で繋ぎ合わせて記録ヘッド１２０を構成することができる。これにより、記録媒体Ｐの搬送方向における記録ヘッド１２０の長さ（幅）を小さくすることができる。
【符号の説明】
【００４２】
１０１  記録ヘッド基板
１０３  ヒータ
１０４  ＰＡＤ
１０５  ＴＥＧ領域
【図１】
2018187922.tif 000003
【図２】
2018187922.tif 000004
【図３】
2018187922.tif 000005
【図４】
2018187922.tif 000006
【図５】
2018187922.tif 000007
【図６】
2018187922.tif 000008
【図７】
2018187922.tif 000009
【図８】
2018187922.tif 000010
【図９】
2018187922.tif 000011